(57)【要約】
【課題】  同一の形状を有する単位ピースから成るスリーディメンションの球形パズルを提供する。
【解決手段】同一の形状を有する複数の単位ピース１０，２０からなり、各単位ピースの対応する各辺縁にはそれぞれ突出部１１，１２，２１及び該突出部の形状と同一の切欠部１３，１４，２２が形成され、前記突出部は他の単位ピースにおける切欠部に嵌合して組み合わせることで球形パズル１，２を構成できるようにし、且つ前記単位ピースは表面と裏面にそれぞれ湾曲面が形成され、それぞれの単位ピースの側周面には、組立てられる球形パズルの中心Ｏからの半径Ｒ線上を通過する傾斜が形成された構成とした。
【選択図】  図１
0003101214.tif 000002
【実用新案登録請求の範囲】
【請求項１】
同一の形状を有する複数の単位ピースからなり、各単位ピースの対応する各辺縁にはそれぞれ突出部及び該突出部の形状と同一の切欠部が形成され、前記突出部を他の単位ピースにおける切欠部に嵌合して組み合わせることで、球体を構成できるようにしたことを特徴とする球形パズル。
【請求項２】
前記単位ピースは表面と裏面にそれぞれ湾曲面が形成された略四方形状のプレートであり、各単位ピースの対応する一対の辺縁には夫々突出部が設けられると共に、他の対応する一対の辺縁には夫々前記突出部の形状と同一の切欠部が形成されており、さらに各単位ピースの側周面には、組立てられる球形パズルの中心からの半径線上を通過するような傾斜が形成されていることを特徴とする請求項１記載の球形パズル。
【請求項３】
前記単位ピースは、表面と裏面にそれぞれ湾曲面が形成された三角形状のプレートであり、夫々各単位ピースの側周面には、組立てられる球形パズルの中心からの半径線上を通過するような傾斜が形成されていることを特徴とする請求項１記載の球形パズル。
【考案の詳細な説明】
【技術分野】
【０００１】
本考案は、特に同一の形状を有する複数の単位ピースを組み立てることで、スリーディメンション（３次元立体）の球形を構成できるようにした球形パズルに関するものである。
【背景技術】
【０００２】
パズルは子供だけではなく、大人にも人気のある玩具である。従来のパズルは異なる形状を有する複数の単位ピースを組合せることにより、平面或いは立体の分解可能な図形を構成させるものであった。
【特許文献１】特開２００１−２３６０１２号公報
【考案の開示】
【考案が解決しようとする課題】
【０００３】
しかし、従来の３次元立体パズル玩具は、動物を模した立体的なもの、或いは組立て球状形式のものが存在しているが、この従来の立体パズルにおいては、各結合する嵌合部にそれぞれ異なる形状を有する立方体のブロックを、或いは異なる形状の複数の単位ピースを用いて組合せ結合するようにしたものであった。
故に、従来の立体パズルにおいては、複数の異なる形状の単位ピースをそれぞれ用意する必要があり、製品がコスト高になると共に、商品として販売する場合の各単位ピースの取り扱いも手間が掛かるという問題点があった。
【０００４】
そこで、案出されたのが本考案であって、形状を同一形状とした単位ピースの組合わせによって、スリーディメンションの球体を完成できるようにした球形パズルを提供することを目的としている。
【課題を解決するための手段】
【０００５】
本願の請求項１の球形パズルは、同一の形状を有する複数の単位ピースからなり、各単位ピースの対応する各辺縁にはそれぞれ突出部及び該突出部の形状と同一の切欠部が形成され、前記突出部を他の単位ピースにおける切欠部に嵌合して組み合わせることで、球体を構成できるようにしたことを特徴とする。
本願の請求項２の考案は、請求項１に記載の球形パズルにおいて、前記単位ピースは表面と裏面にそれぞれ湾曲面が形成された略四方形状のプレートであり、各単位ピースの対応する一対の辺縁には夫々突出部が設けられると共に、他の対応する一対の辺縁には夫々前記突出部の形状と同一の切欠部が形成されており、さらに各単位ピースの側周面には、組立てられる球形パズルの中心からの半径線上を通過するような傾斜が形成されていることを特徴とする。
本願の請求項３の考案は、請求項１に記載の球形パズルにおいて、前記単位ピースは、表面と裏面にそれぞれ湾曲面が形成された三角形状のプレートであり、各単位ピースの側周面には、組立てられる球形パズルの中心からの半径線上を通過するような傾斜が形成されていることを特徴とする。
【考案の効果】
【０００６】
本考案は上記の課題を解決するものであり、同一の形状を有する複数の単位ピースからなり、各単位ピースの対応する各辺縁にはそれぞれ突出部及び該突出部の形状と同一の切欠部が形成され、前記突出部は他の単位ピースにおける切欠部に嵌合して組み合わせることで球体を構成できるようにしたので、複数の異なる形状の単位ピースをそれぞれ用意する必要がなく、製品を安価に提供できると共に、商品として販売する場合の各単位ピースの取り扱いも容易であるという効果がある。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【０００８】
図１は本考案に係る球形パズルの第１実施例を示す一部を分解して示す全体斜視図であり、図２は本考案に係る球形パズルにおける単位ピースを示す平面図であり、図３は本考案に係る球形パズルにおける単位ピースを示す側面図である。
【０００９】
図１及び図２に示すように、本考案に係る球形パズル１は同一形状の略四方形をなす複数の単位ピース１０からなり、各単位ピース１０はそれぞれ対向する一対の辺縁のほぼ中央部に突出部１１，１２が設けられると共に、他の対向する一対の各辺縁には、前記突出部１１，１２がそれぞれ嵌合されるように前記突出部１１，１２と外形形状が同一のカットアウト（以下切欠部という）１３，１４が形成されており、前記突出部１１，１２を他の単位ピース１０における切欠部１３，１４とそれぞれ組合わせることで連結されるようになっている。
【００１０】
図３に示すように、本考案に係る球形パズル１の単位ピース１０は、表面と裏面にそれぞれ湾曲面が形成されたプレートであり、各側周面には組立て完成時の球形パズル１の中心Ｏからの半径Ｒ線上を通過する傾斜が形成されている。
したがって、前記複数の単位ピース１０を互いに組付け結合することで、球形パズル１が完成する。また、前記単位ピース１０の結合を解除することで、球形が崩れ未使用状態とすることができる。
【実施例２】
【００１１】
図４は本考案に係る球形パズルの第２実施例を示す一部を分解した全体斜視図であり、図５は本考案に係る球形パズルの第２実施例における単位ピースを拡大して示す底面図であり、図６は本考案に係る球形パズルの第２実施例における単位ピースの側面図である。
本考案の第２実施例は、図４及び図５に示すように、前記第１実施例とほぼ同様であるが、単位ピース２０の形状が相違している。即ち、使用される複数の各単位ピース２０は、すべて同一の三角形状を有し、単位ピース２０の各辺縁には同一形状を有する突出部２１と切欠部２２が夫々形成されており、前記一方の単位ピース２０の突出部２１が他の単位ピース２０における切欠部２２に嵌合されて組合わせ結合ができるようになっている。
【００１２】
前記単位ピース２０は、図６に示すように、前記第１実施例の単位ピース１０と同様に表面及び裏面に湾曲面が形成されたプレートであり、各側周面には組立て完成時の球形パズル１の中心Ｏ´からの半径Ｒ´線上を通過する傾斜が形成されている。
したがって、前記複数の単位ピース２０を互いに組付け結合することで、球形パズル２が完成する。また、前記単位ピース２０同志の結合を解除することで、球形が崩れ未使用状態とすることができる。
【００１３】
本考案は上記の構成を有するので、同一形状の複数の単位ピースからなり、各単位ピースの辺縁に同一形状を有する突出部又は切欠部を設け、全ての単位ピースを組合せることにより球形のパズルを得ることができる。
【図面の簡単な説明】
【００１４】
【図１】本考案に係る球形パズルの第１実施例を示す一部分解して示す全体斜視図である。
【図２】図１の球形パズルにおける単位ピースを示す拡大平面図である。
【図３】図１の球形パズルにおける単位ピースを示す拡大側面図である。
【図４】本考案に係る球形パズルの第２実施例を示す一部分解して示す全体斜視図である。
【図５】図４の球形パズルの単位ピースを示す拡大底面図である。
【図６】図４の単位ピースを示す拡大側面図である。
【符号の説明】
【００１５】
１          球形パズル
１０        単位ピース
１１        突出部
１２        突出部
１３        切欠部（カットアウト）
１４        切欠部（カットアウト）
２          球形パズル
２０        単位ピース
２１        突出部
２２        切欠部（カットアウト）
【図１】
0003101214.tif 000003
【図２】
0003101214.tif 000004
【図３】
0003101214.tif 000005
【図４】
0003101214.tif 000006
【図５】
0003101214.tif 000007
【図６】
0003101214.tif 000008